(57)【要約】【課題】安価なパッキンで、しかも、小さな荷重でパッキンを圧縮変形させて確実に防水できるようにする。【解決手段】機器本体１と、この機器本体１に設けられたトップカバー４と、機器本体１に着脱自在に設けられ、端部をトップカバー４の端部に対向させて接続されるバックカバー６と、トップカバー４及びバックカバー６の対向する端部間に介在されて両者間の隙間を塞ぐパッキン１０とを具備し、パッキン１０は、トップカバー４及びバックカバー６の何れか一方の端部にその幅方向に沿って稜線角部１０ａが形成されるように傾斜して取り付けられ、稜線角部１０ａがトップカバー４及びバックカバー６の端部間で挟圧されることにより圧縮変形される。【選択図】      図３
2011113219.tif 000002
【特許請求の範囲】
【請求項１】
機器本体と、
この機器本体に設けられた第１のカバーと、
前記機器本体に着脱自在に設けられ、端部を前記第１のカバーの端部に対向させて接続される第２のカバーと、
前記第１及び第２のカバーの対向する端部間に介在されて両者間の隙間を塞ぐパッキンとを具備し、
前記パッキンは、前記第１及び第２のカバーの何れか一方の端部にその幅方向に沿って稜線角部が形成されるように傾斜して取り付けられ、前記稜線角部が前記第１及び第２のカバーの端部間で挟圧されることにより圧縮変形されることを特徴とする電子機器。
【請求項２】
前記第１及び第２のカバーの何れか一方の端部に凹部、他方の端部に前記凹部に嵌合する凸部を形成し、前記凹部の内底部に傾斜する取付面を形成し、この取付面に前記パッキンを取り付けたことを特徴とする請求項１記載の電子機器。
【請求項３】
前記取付面は、略１５°傾斜されることを特徴とする請求項１又は２記載の電子機器。
【請求項４】
前記第１及び第２のカバーは前記機器本体の上面部を構成することを特徴とする請求項１乃至３の何れか一項記載の電子機器。
【請求項５】
ＰＯＳ端末として適用されることを特徴とする請求項１乃至４の何れか一項記載の電子機器。
【請求項６】
前記機器本体に対し着脱自在に設けられる前記第２のカバーに客側表示部を備えたことを特徴とする請求項１乃至５の何れか一項記載の電子機器。
【発明の詳細な説明】
【技術分野】
【０００１】
この発明は、例えば、ＰＯＳ（Point of Sales）端末として用いられる電子機器に関する。
【背景技術】
【０００２】
この種の電子機器はその機器本体１の前面側にフロントカバー、上面側にトップカバー、後部側にバックカバーをそれぞれ取り付けている。
【０００３】
トップカバーの上面部にはタッチ操作可能な表示部が設けられ、バックカバーは着脱自在に設けられている。バックカバーとしては、単体のもの、或いは客面表示部を備えたものが必要に応じて選択的に取り付けられるようになっている。
【０００４】
ところで、電子機器では、その機器本体内に回路基板や、電源等を収納しているため、トップカバーとバックカバーとの間の隙間から水滴が侵入すると、故障の原因となってしまう。
【０００５】
そこで、従来においては、トップカバーとバックカバーの端部を互いに嵌合させ、この嵌合部にゴム製のパッキンを介在させて防水を図るようにしている。
【０００６】
しかしながら、上記したパッキンは平板状に形成されるものであるため、十分な防水効果を得ることができないという不都合があった。
【０００７】
そこで、パッキンの上面部に凸部を一体的に形成し、このパッキンの凸部を押し潰すことにより、防水効果を向上できようにしたものが開発されている（例えば、特許文献１参照。）。
【発明の概要】
【発明が解決しようとする課題】
【０００８】
しかしながら、上記したパッキンは、凸部を有する専用品であるため、コストが高くなるという問題があった。
【０００９】
また、パッキンの凸部の上面部が平面状をなすため、凸部を押し潰すのに大きな荷重が必要になり、この荷重に耐える高い強度が必要になるという不都合があった。
【００１０】
本発明は、上記事情に着目してなされたもので、その目的とするところは、安価なパッキンで、しかも、小さな荷重でパッキンを圧縮変形させて第１及び第２のカバーの端部間の隙間を塞ぐことができる電子機器を提供することにある。
【課題を解決するための手段】
【００１１】
上記課題を解決するため、請求項１記載の発明は、機器本体と、この機器本体に設けられた第１のカバーと、前記機器本体に着脱自在に設けられ、端部を前記第１のカバーの端部に対向させて接続される第２のカバーと、前記第１及び第２のカバーの対向する端部間に介在されて両者間の隙間を塞ぐパッキンとを具備し、前記パッキンは、前記第１及び第２のカバーの何れか一方の端部にその幅方向に沿って稜線角部が形成されるように傾斜して取り付けられ、前記稜線角部が前記第１及び第２のカバーの端部間で挟圧されることにより圧縮変形されることを特徴とする。
【発明の効果】
【００１２】
本発明によれば、安価なパッキンで、しかも、小さな荷重でパッキンを圧縮変形させて第１及び第２のカバーの端部間の隙間を塞ぐことができる。
【図面の簡単な説明】
【００１３】
【図１】本発明の一実施の形態である電子機器を示す斜視図。
【図２】図１のバックカバー、及びパッキンを分解して示す斜視図。
【図３】図１のトップカバーとバックカバーの嵌合部における防水構造を示す断面図。
【図４】図２のバックカバーの取付動作を示す図。
【図５】図４のバックカバーが取り付けられた状態を示す図。
【発明を実施するための形態】
【００１４】
以下、この発明の一実施の形態について図面を参照して説明する。  
図１は、例えば、ＰＯＳ端末として用いられる電子機器を示す斜視図である。
【００１５】
電子機器は機器本体１を備え、この機器本体１の前部側には前面カバー５、上面部側には第１のカバーとしてのトップカバー４、後部側には第２のカバーとしてのバックカバー６がそれぞれ取り付けられている。トップカバー４とバックカバー６とにより、機器本体１の上面部が構成されている。
【００１６】
トップカバー４の上面部には、表示部としてのタッチパネル付きディスプレー２がチルト、及びスィーベル可能に設けられ、バックカバー６の上面部には客側表示部３がチルト、及びスィーベル可能に設けられている。客側表示部３を備えるバックカバー６は図２に示すように機器本体１に対し着脱自在に取り付けられている。
【００１７】
なお、バックカバー６としては、客側表示部３の代わりにタッチパネル付きディスプレー２を備えるものであっても良く、また、客側表示部３やタッチパネル付きディスプレー２を備えない単独のものであっても良い。これら各種のバックカバーは、必要に応じて選択的に取り付けられるようになっている。
【００１８】
図３は、上記したトップカバー４とバックカバー６の嵌合部を示す断面図である。
【００１９】
トップカバー４の後端側の上面部にはその幅方向に沿って凹部７が形成されている。バックカバー６の前端側の下面部にはその幅方向に沿って凸部８が突設されている。バックカバー６はその凸部８をトップカバー４の凹部７内に嵌合させて接続され、図示しない固定ネジにより機器本体１に固定されるようになっている。また、バックカバー６の両側部には図２に示すように傘部６ａが形成され、この傘部６ａは機器本体１の両側壁の上端部に被せられている。
【００２０】
ところで、機器本体１内には、回路基板や電源等が収納されているため、機器本体１内に水滴が侵入すると、故障の原因となってしまう。機器本体１の上面部は上記したようにトップカバー４とバックカバー６とにより構成されるため、トップカバー４上に落下した水滴はバックカバー６へ向かって流れ、バックカバー６の凸部８とトップカバー４の凹部７との間の隙間から機器本体１内に侵入しようとする。
【００２１】
そこで、バックカバー６の凸部８とトップカバー４の凹部７との間には、水滴の侵入を規制するための防水構造が設けられている。
【００２２】
なお、バックカバー６上に落下してその両側方部へ向かう水滴は、バックカバー６の傘部６ａに沿って機器本体１の外部に落下するため、バックカバー６の両側方部には防水構造を特別に必要とすることはない。
【００２３】
次に、バックカバー６の凸部８とトップカバー４の凹部７との間の防水構造について説明する。
【００２４】
トップカバー４の凹部７内には柔軟性を有するゴム製の防水用のパッキン１０が収納されている。このパッキン１０は、ゴムシートを短冊状にカットしてなるものである。トップカバー４の凹部７の内底面には取付面７ａが形成され、この取付面７ａ上にパッキン１０が接着されて取り付けられている。取付面７ａは凹部７の幅方向に対し直交する方向、即ち機器本体１の後方に向かって１５°程度下降するように傾斜されている。これにより、パッキン１０はその上面側に稜線角部１０ａ（図４に図示）が形成されるように傾斜する状態で取り付けられ、トップカバー４の凹部７とバックカバー６の凸部８との間の隙間を塞ぐようになっている。
【００２５】
次に、上記したバックカバー６の取付動作について図４及び図５に基づいて説明する。
【００２６】
まず、図４に示すようにバックカバー６をトップカバー４の上部側に位置させてその前端部側の凸部８をトップカバー４の後端部側の凹部７に対向させる。こののち、バックカバー６を下降させてその凸部８を図５に示すようにトップカバー４の凹部７内に嵌め込んでパッキン１０を押圧するとともに、傘部６ａを機器本体１の両側壁の上端面部に被せる。上記したパッキン１０の押圧によりその上面側の稜線角部１０ａが圧縮変形されて押し潰されバックカバー６の凸部８の下面部に隙間なく密着される。このように密着させたのち、バックカバー６を図示しない固定ネジで機器本体１に固定して取り付けを終える。
【００２７】
上記したように、この実施の形態によれば、トップカバー４の凹部７の内底部にパッキン１０を傾斜する状態で取り付け、トップカバー４の凹部７内にバックカバー６の凸部８を嵌合させることにより、パッキン１０の上面側の稜線角部１０ａを押し潰してトップカバー４の凹部７とバックカバー６の凸部８との間の隙間を閉塞するため、パッキンとしては、凸部を有した専用のものでなく、市販の標準のゴムシートを短冊状にカットしたものを使用することができ、コストを低減することができる。
【００２８】
また、パッキン１０の上面側の稜線角部１０ａを押し潰すため、小さな荷重でトップカバー４の凹部７とバックカバー６の凸部８との間の隙間を確実に塞ぐことができ、強度を強化する必要もない。
【００２９】
なお、上記した一実施の形態では、パッキン１０の取付面７ａを機器本体１の後方に向かって下降するように傾斜させてパッキン１０を傾斜させたが、これに限られることなく、取付面７ａを機器本体１の後方に向かって上昇するように傾斜させてパッキン１０を逆方向に傾斜させるようにしても良い。
【００３０】
また、上記した一実施の形態では、トップカバー４に凹部７、バックカバー６に凸部８を設けたが、これに限られることなく、トップカバー４に凸部、バックカバー６に凹部を設けてバックカバー６の凹部内にパッキン１０を傾斜状態で設けるようにしても良い。
【００３１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【符号の説明】
【００３２】
１…機器本体、３…客側表示部、４…トップカバー（第１のカバー）、６…バックカバー（第２のカバー）、１０…パッキン、７ａ…取付面、７…凹部、８…凸部、１０ａ…稜線角部。
【先行技術文献】
【特許文献】
【００３３】
【特許文献１】特開２００４−１９３４９６号公報
【図１】
2011113219.tif 000003
【図２】
2011113219.tif 000004
【図３】
2011113219.tif 000005
【図４】
2011113219.tif 000006
【図５】
2011113219.tif 000007